(57)【要約】      （修正有）【課題】狭い個人所有の農地を一つに集めて、広大な調整農地として形成して、効率の高い農業に寄与する、農業協力技術を提供する。【解決手段】個人持分農地Ａ１の境界に、耐腐食性金属で形成された境界点クイａ２、境界点クイｂ３、境界点クイｃ４、境界点クイｄ５を埋設する。順次、個人持分農地Ｂ〜個人持分農地Ｚと境界点を埋設して、個人持分農地を集合させた一つの広大調整農地６を形成する。広大調整農地６に基礎三角点クイＸ７、基礎三角点クイＹ８、基礎三角点クイＺ９を、クイ頭部を地中より出した状態にて埋設する。このように一つの広大調整農地６として、表面上は使用されるが、個人持分農地Ａ１を視認するため、埋設された境界点クイの正確な位置に小形金属探知器付音波発振器を差し込んで固定し、さらに基礎三角点クイの頭頂部に、着脱式音波受信位置測定器を設け、ノートパソコンを接続する。【選択図】図１
2012108082.tif 000002
【特許請求の範囲】
【請求項１】
個人持分農地Ａ（１）の境界に、耐腐食性金属で形成された境界点クイ（２）、境界点クイ（３）、境界点クイ（４）、境界点クイ（５）を埋設して設け、順次、個人持分農地Ｂ〜個人持分農地Ｚと境界点を埋設して、個人持分農地を集合させた一つの広大調整農地（６）として形成する、次にこの広大調整農地（６）に基礎三角点クイＸ（７）、基礎三角点クイＹ（８）、基礎三角点クイＺ（９）を、クイ頭部を地中より出した状態にて埋設して設ける、このように一つの広大調整農地（６）として、表面上は使用されるが、ここに個人持分農地Ａ（１）を視認出来る装置が付加されている、つまり埋設された、境界点クイの正確な位置に小形金属探知器付音波発振器（１０）を差し込んで固定する、さらに基礎三角点クイの頭頂部に、着脱式音波受信位置測定器（１１）を設け、この該測定器にモニターとしてノートパソコン等（１２）を接続して成る、地主土地境界表示音波発振装置および三角測量基準点受信位置測定装置を備えた、農地調整利用方法。
【発明の詳細な説明】
【技術分野】
【０００１】  本発明は農地の利用技術に関するものである。
【背景技術】
【０００２】  従来、日本の農家は個人持分農地として、自分の農地境界内でそれぞれに、大小の畑や水田を耕やしてきている。
【発明の開示】
【発明が解決しようとする課題】
【０００３】  しかし、これをやるには各個人農家で田植機械等の設備が不可欠であり、その他労働力や農業技術が必要である。現在、農家の高齢化も進み、農業農地の放置や農地管理が徹底されずこのままでは、我が農業は崩壊してしまう懸念が生じている。
これら問題点を改善するために本発明はなされたのである。
【課題を解決するための手段】
【０００４】  この課題を解決する手段として、各個人農家の所有農地の持分境界を無くして、その集合農地を一つの広大な調整農地に変える事である。そしてこの調整農地を、農協で管理し、計画に沿って農業を実施して行く事である。また、各個人農家は農協に全面協力して、その結果、この巨大な農地より得られた農産物収穫は、個人持分農地面積に応じた収入が公平に与えられる。つまり本手段は、一つの広大な農地にされても、各農家の個人持分農地は明確に視認できる装置を開発した事にある。以下、解決手段を説明して行く。【０００５】  まず、個人持分農地Ａ（１）の境界に、耐腐食性金属で形成された境界点クイａ（２）境界点クイｂ（３）、境界点クイｃ（４）、境界点クイｄ（５）を埋設して設ける。そして、隣の農地にも順次、次々と個人持分農地Ｂ〜個人持分農地Ｚと境界点クイを埋設して行く。そして個人持分農地を集合させた、一つの広大調整農地（６）として形成する。次にこの広大調整農地（６）に基礎三角点クイＸ（７）、基礎三角点クイＹ（８）、基礎三角点クイＺ（９）を、クイ頭部を地中より出した状態にて埋設して設ける。この基礎三角点クイは、レーザー測量器により正確に定点にセットされている。このように一つの、広大調整農地（６）として、普段表面上は使用されるが、しかしここに個人持分農地Ａ（１）を視認出来る装置が付加されている。つまり埋設された、境界点クイの正確な位置を捕捉する、小形金属探知器付音波発振器（１０）を捕捉点に差し込んで、これを正確に固定する。さらに基礎三角点クイの頭頂部には、着脱式音波受信位置測定器（１１）を設け、この該測定器に個人持分農地の形状、面積等を映し出すモニターとしての、ノートパソコン等（１２）を接続する。
本発明は以上のような構成よりなる、地主土地境界表示音波発振装置および三角測量基準点受信位置測定装置を備えた、農地調整利用方法である。
【発明の効果】
【０００６】  従来、各個人農地として畑や水田等を、農機具を使用して収穫までの農作業をやっているが農地の大小様々の中で、効率が悪く、農機具の管理維持費や人件費もかさみ、年々老齢化が加速する中、当然農作業に見合った収穫、収入は減少の一途である。諸外国の農業を見れば、広大な土地利用での大形コルホーズおよび農地コンビナート等、大農場が多く、日本の農業に比較して、大形農業機械を利用しての小人数で大量生産、高効率作業が行われており、収穫コストも日本に比べて低く、当然高い収入も得られるのである。そのため、日本の場合は狭い農地を集合させて、一つの広大な農地コルホーズ化して行く、これがこれからの高効率化農業として必要な事である。本発明はこの実践を可能にした、絶大なる効果を求めるものである。
【発明を実施するための最良の形態】
【０００７】  本発明は、個人持分農地Ａ（１）の境界に、耐腐食性金属で形成された境界点クイａ（２）、境界点クイｂ（３）、境界点クイｃ（４）、境界点クイｄ（５）を埋設して設ける。この境界点クイは地表面下に完全に埋設する。この該クイは超小型の金属探知器で容易に反応探知するように形成されている。そして、隣の農地にも順次、次々と個人持分農地Ｂ〜個人持分農地Ｚと境界点クイを埋設して行く。そして個人持分農地を集合させた全体で、一つの広大調整農地（６）として形成する。次にこの広大調整農地（６）に基礎三角点クイＸ（７）、基礎三角点クイＹ（８）、基礎三角点クイＺ（９）を、クイ頭部を地中より出した状態にて埋設して設ける。この基礎三角点クイは、予めレーザー測量器により正確に定点にセットされている。このように一つの、広大調整農地（６）として、普段表面上は使用されるが、しかしここに個人持分農地Ａ（１）を視認出来る装置が付加されている。つまり埋設された、境界点クイの正確な位置を捕捉する、小形金属探知器付音波発振器（１０）を捕捉点に差し込んで、これを正確に固定する。さらに基礎三角点クイの頭頂部には、着脱式音波受信位置測定器（１１）を設け、この該測定器に個人持分農地の形状、面積等を映し出すモニターとしての、ノートパソコン等（１２）を接続する。もちろん元々の農地登記簿により、今まで通り管理されている。【０００８】  本発明は以上のような構成であり、これを使用せんとするときには、まず図のごとく広大調整農地（６）の基礎三角点クイＸ（７）と基礎三角点クイＹ（８）あるいは基礎三角点クイＺ（９）の頭頂部に、着脱式音波受信位置測定器（１１）を装着する。次に個人持分農地Ａ（１）に於いて、境界点クイａ（２）を小形金属探知器付音波発振器（１０）で捕捉して、この位置の真上に正確に小形金属探知器付音波発振器（１０）を固定して設置する。この作業を繰り返して、多数の個人持分農地Ｂ〜個人持分農地Ｚの境界点クイの真上に、小形金属探知器付音波発振器（１０）を次々と設置して行く。【０００９】  次に三角点クイに装着した、着脱式音波受信位置測定器（１１）の電源を入れて音波を受信できる状態にする。また境界点クイの位置に固定された、小形金属探知器付音波発振器（１０）にも電源を入れる。これにより、この該音波発振器より音波が発振されて、該音波受信位置測定器に音波が受信される。このときに音波の伝播時間を該音波発振器と３つの該音波受信位置測定器に検出され、この位相差を三角測量法により、座標検出に利用する。この座標検出の表示手段として、モニターとしてのノートパソコン等（１２）を着脱式音波受信位置測定器（１１）に接続して、個人持分農地の形状、面積等を視認する。
【図面の簡単な説明】
【００１０】
【図１】  本発明の広大調整農地と個人持分農地との測定表示説明図である。
【図２】  本発明の境界点クィと小形金属探知器付音波発振器の設置説明図である。
【図３】  本発明の基礎三角点クイと着脱式音波受信位置測定器の設置説明図である。
【符号の説明】
【００１１】  １．個人持分農地Ａ
２．境界点クイａ
３．境界点クイｂ
４．境界点クイｃ
５．境界点クイｄ
６．広大調整農地
７．基礎三角点クイＸ
８．基礎三角点クイＹ
９．基礎三角点クイＺ
１０．小形金属探知器付音波発振器
１１．着脱式音波受信位置測定器
１２．ノートパソコン等
１３．金属探知器
１４．音波発信器
１５．小形レーザー測量器
１６．音波受信器
１７．レーザー光
１８．音波
１９．農地地中
【図１】
2012108082.tif 000003
【図２】
2012108082.tif 000004
【図３】
2012108082.tif 000005